(57)【要約】【課題】無駄なバーナ燃焼を減らせる省エネ化可能な給湯装置を提供する。【解決手段】情報取り込み手段３１が、給湯設定温度と、今回の給湯利用時の給湯流量と、今回の給湯利用時の前記給湯熱交換器への入水温度と、前回の給湯利用終了時から今回の給湯利用開始時までの間隔と、前回の給湯利用継続時間との、少なくとも１つの給湯関連情報を取り込む。待機時間決定手段３４が、給湯関連情報の個々の情報に関する条件と２つ以上の組み合わせ情報に関する条件との少なくとも１つの条件に対応させて設定された、給湯栓が開かれてからバーナの点火までの待機時間の情報と、前記の取り込んだ給湯関連情報とを参照し、今回の給湯利用時の給湯栓開から点火までの待機時間を決定する。この決定待機時間が経過するまで連続して給湯が行われているときには、決定待機時間が経過したときに点火制御手段３６が給湯バーナの点火を行う。【選択図】図１
2007247988.tif 000002
【特許請求の範囲】
【請求項１】
バーナと、該バーナの燃焼によって通水の水を加熱する給湯熱交換器と、該給湯熱交換器の出口側に設けられた給湯通路と、該給湯通路に設けられた給湯栓とを有し、該給湯栓が開かれてから閉じられるまでの給湯利用期間に前記給湯熱交換器を通って加熱される水を前記給湯通路を介して出湯する機能を備えた給湯装置であって、給湯設定温度と、前記給湯栓を開くことにより開始される今回の給湯利用時の給湯流量と、今回の給湯利用時の前記給湯熱交換器への入水温度と、前回の給湯利用終了時から今回の給湯利用開始時までの間隔と、前回の給湯利用継続時間との、少なくとも１つの給湯関連情報を取り込む情報取り込み手段と、前記給湯栓が開かれたタイミングを検知する給湯栓開タイミング検知手段とを有し、前記給湯関連情報の個々の情報に関する条件と２つ以上の組み合わせ情報に関する条件との少なくとも１つの条件に対応させて給湯栓が開かれてからバーナの点火までの待機時間が設定され、該設定待機時間と前記条件との関係がバーナ点火タイミング情報として点火タイミング情報格納部に格納されており、前記情報取り込み手段により取り込まれる給湯関連情報と前記点火タイミング情報格納部に格納されているバーナ点火タイミング情報とを参照して今回の給湯利用時の給湯栓開から点火までの待機時間を決定する待機時間決定手段と、前記給湯栓開タイミング検知手段により検知される今回の給湯栓開タイミングを起点として前記待機時間決定手段により決定した決定待機時間が経過するまで連続して給湯が行われているときには前記決定待機時間が経過したときに前記バーナの点火を行う点火制御手段とを有することを特徴とする給湯装置。
【請求項２】
情報取り込み手段は少なくとも給湯利用時の給湯流量の情報を取り込む構成と成し、前記情報取り込み手段によって取り込まれた給湯流量が予め定めたシャワー対応流量以上の時には給湯栓開からバーナ点火までの待機時間を無視して点火制御手段により直ちにバーナの点火を行うようにする点火待機キャンセル手段を有することを特徴とする請求項１記載の給湯装置。
【請求項３】
給水通路と、該給水通路に設けられた給水栓を開いて出水される水と給湯栓を開いて出湯される湯とを混合して出す混合水栓部とを有し、該混合水栓部には出湯水温度をレバーの水平方向の操作位置によって決定するレバー方式の出湯水操作部が設けられており、待機時間内に給湯栓が閉じられた場合には、利用者に、利用者が今回湯を使用しようとしたことの報知と前記レバーの水平方向の操作位置の確認を促す報知とを音声により行う報知部を、前記レバー方式の出湯水操作部の配設領域近傍に設けられたリモコン装置に設けたことを特徴とする請求項１または請求項２記載の給湯装置。
【発明の詳細な説明】
【技術分野】
【０００１】
本発明は、給湯熱交換器を備えた給湯装置に関するものである。
【背景技術】
【０００２】
図６には、給湯装置の一例が模式的なシステム図により示されており、同図に示すような構成を備えた様々な給湯装置が用いられている（例えば特許文献１、参照）。
【０００３】
同図に示す給湯装置は、給湯バーナ（給湯側のバーナ）１０と、該給湯バーナ１０の燃焼によって通水の水を加熱する給湯熱交換器７と、該給湯熱交換器７の出口側に設けられた給湯通路１１とを有しており、該給湯通路１１には、給湯温度センサ８が設けられている。また、この例では、給湯通路１１は２つに分岐され、その一方に台所の給湯栓２７（２７ａ）が設けられ、他方（分岐通路４６側）には洗面所の給湯栓２７（２７ｂ）が設けられている。洗面所の給湯栓２７ｂは、給水栓４４と共に混合水栓部２９を形成している。
【０００４】
前記給湯熱交換器７の入口側には給水通路５が設けられており、この給水通路５には前記給湯熱交換器７への入水温度を検出する入水温度センサ６と給水流量を検出する流量センサ４とが設けられている。また、給水通路５から分岐された分岐給水通路４５に前記給水栓４４が設けられ、この給水栓４４を開いて出湯される湯と前記給湯栓２７ｂを開いて出水される水とが混合されて混合水栓部２９の蛇口先端４３から出るように形成されている。
【０００５】
また、前記給湯通路１１には、注湯路１４を介して追い焚き循環路２５が接続されており、追い焚き循環路２５は浴槽２６に接続されている。追い焚き循環路２５は戻り管２３と往管２４とを有し、風呂側のバーナ１６によって追い焚き循環路２５を通る湯水を加熱する追い焚き熱交換器１５と、追い焚き循環路２５を通して浴槽２６の湯水を循環させる循環ポンプ２１と、追い焚き循環路２５の流水を検知する流水センサ２２とが設けられている。
【０００６】
前記給湯側のバーナ１０と風呂側のバーナ１６には、それぞれ、バーナ１０，１６に燃料ガスを供給するガス管９，１７が設けられており、また、バーナ１０，１６の下方側には、それぞれ、バーナ１０，１６の燃焼の給排気を行なう燃焼ファン（図示せず）が設けられており、該燃焼ファンの回転によって送られる空気と、前記ガス管９，１７を通って供給されるガスとによってバーナ１０，１６の燃焼が行われる。
【０００７】
なお、前記注湯路１４には、注湯電磁弁１３と、注湯路１４を通る湯水の流量を検出する流量センサ１２と、浴槽２６の水位を水圧によって検出する圧力センサの水位センサ２０とが設けられている。
【０００８】
図６に示す給湯装置は、給湯機能と浴槽２６への自動湯張り機能ならびに浴槽湯水の追い焚き機能を備えた複合型の給湯装置であり、以下に、この給湯装置の給湯機能について説明する。
【０００９】
給湯機能は、前記給湯栓２７が開かれてから閉じられるまでの給湯利用期間に、前記給湯熱交換器７を通って加熱される水を前記給湯通路１１を介して出湯する機能である。
【００１０】
給湯栓２７の開により、給水通路５から給湯熱交換器７を介して給湯通路１１に通水が行われ、それによって、流量センサ４により検出される流量が給水通路５を通水する最低作動流量以上の流量となると、制御装置３に設けられている燃焼制御部（同図には図示せず）が給湯バーナ１０に点火して給湯バーナ１０の燃焼を開始し、給湯熱交換器７を通る水を加熱して湯を作成し、その湯を給湯通路１１を通して給湯先へ供給する。なお、制御装置３は、台所、浴室等に設けられたリモコン装置に接続されている。
【００１１】
この給湯機能の動作では、制御装置３が、入水温度センサ６による入水温と、流量センサ４による給湯量と、給湯温度センサ８による給湯温（出湯温）との検出情報に基づき、給湯湯温が前記リモコン装置としての台所リモコン（または風呂リモコン）で設定された給湯設定温度となるように、ガス通路９から供給されるガス量を図示されていない比例弁の開弁量によって制御する。
【００１２】
給湯機能の動作は給湯先の給湯栓２７が閉止されることによって終了する。つまり、給湯栓２７の閉止によって流量センサ４が通水の停止を検出したときに、制御装置３の燃焼制御部は給湯バーナ１０へのガス供給を遮断し、給湯バーナ１０の燃焼を停止する。
【００１３】
この給湯機能の動作は、シャワー使用時や、台所での食器洗浄時、洗面所での洗顔時、手荒い時、歯磨き時等、様々な時に行われるものであるが、最近では、給湯利用時の使い勝手をより良くするために、台所や洗面所等に、図４に示すようなレバー２８を備えたワンレバー方式（レバー方式）の出湯水操作部を有する混合水栓が多く用いられるようになってきている。
【００１４】
この種の混合水栓は、出湯する湯水の温度が、レバー２８の水平方向の操作位置によって決定され、出湯する湯水の流量が、レバー２８の上下方向の操作位置によって決定されるものである。
【００１５】
例えば、レバー２８を図６のシステムズにおける混合水栓部２９に適用すると、レバー２８の水平方向の操作位置によって、図４（ａ）の状態では、給湯栓２７ｂが開いて給湯設定温度の湯が出湯し、図４の（ｂ）の状態では、給湯栓２７ｂが開くとともに給水栓４４が開き、給湯設定温度の湯と水とが混合され、給湯設定温度よりも低い温度の湯が出湯する。図４（ｃ）の状態では、給水栓４４のみが開いて、給湯熱交換器７による加熱が行われない状態の水が出るようになっている。
【００１６】
また、レバー２８を上側に上げることにより出湯を行うタイプの場合は、図４（ｄ）のＨの位置に示すように、レバー２８の先端を高く上げる方が、Ｌの位置に示すように、レバー２８の先端を少しだけ上げるよりも多くの量の湯水が出るようになっている。その逆に、レバー２８を下側に下げることにより出湯を行うタイプの場合は、レバー２８の先端を大きく下げる方が、レバー２８の先端を少しだけ下げるよりも多くの量の湯水が出るようになっている。
【００１７】
【特許文献１】実公平５−２８４０７号公報
【発明の開示】
【発明が解決しようとする課題】
【００１８】
ところで、図４に示したようなレバー操作の混合水栓は、レバー２８を垂直方向に上げ下げするだけで湯水を出したり止めたりすることができるので、利用者は、例えば歯磨き時に歯ブラシをちょっと濡らすといったように、「湯」ではなくて水でも構わない場合にも給湯栓２７を開いて給湯操作を行ってしまうことが多い。
【００１９】
それというのは、利用者は、レバー２８の水平方向の位置について特に意識をせずに、前回利用時の位置にしたまま（つまり、水を出すために、図４（ｃ）に示したような位置に水平方向の位置を調整することはしないで）、レバー２８を垂直方向に上げ下げして利用することが多いため、特に意識をせずに、結果的に給湯操作を行ってしまうのである。
【００２０】
また、図５に示すような、給湯栓２７と給水栓４４とが個別に設けられているタイプのものであっても、利用者が、例えば右手に歯ブラシを持ったまま左手で給湯栓２７を開き、歯ブラシを濡らすといったことをすることもある。
【００２１】
つまり、利用者は、湯水先端４３から湯水を出すときに、その操作がしやすい状態での利用を行うために、湯ではなく水を出すだけでよい場合も、給水栓４４のみを開く操作を的確に行うとは限らないため、給湯栓２７が開かれることが多く、本発明者が、給湯栓２７を開かれてから閉じられるまでの給湯利用期間の長さを調べたところ、給湯利用の全回数のうち、３分の１程度は、給湯利用期間の長さが１０秒未満といった短時間であることが分かった。
【００２２】
しかしながら、給湯栓２７が開かれると、「湯」ではなく水が出ればよいのにもかかわらず、給湯バーナ１０への点火が行われ、燃料ガスと空気の供給によってバーナ燃焼が行われてしまうので、エネルギーを無駄に消費してしまうことになり、本発明者は、このような無駄なバーナ燃焼が、上記のような多くの割合で行われることは、非常に問題だと認識した。
【００２３】
本発明は、上記問題を解決するために成されたものであり、その目的は、給湯利用時のエネルギーの無駄な消費を抑制でき、利用維持費を安くできる給湯装置を提供することにある。
【課題を解決するための手段】
【００２４】
上記目的を達成するために、本発明は次のような構成をもって課題を解決するための手段としている。すなわち、第１の発明は、バーナと、該バーナの燃焼によって通水の水を加熱する給湯熱交換器と、該給湯熱交換器の出口側に設けられた給湯通路と、該給湯通路に設けられた給湯栓とを有し、該給湯栓が開かれてから閉じられるまでの給湯利用期間に前記給湯熱交換器を通って加熱される水を前記給湯通路を介して出湯する機能を備えた給湯装置であって、給湯設定温度と、前記給湯栓を開くことにより開始される今回の給湯利用時の給湯流量と、今回の給湯利用時の前記給湯熱交換器への入水温度と、前回の給湯利用終了時から今回の給湯利用開始時までの間隔と、前回の給湯利用継続時間との、少なくとも１つの給湯関連情報を取り込む情報取り込み手段と、前記給湯栓が開かれたタイミングを検知する給湯栓開タイミング検知手段とを有し、前記給湯関連情報の個々の情報に関する条件と２つ以上の組み合わせ情報に関する条件との少なくとも１つの条件に対応させて給湯栓が開かれてからバーナの点火までの待機時間が設定され、該設定待機時間と前記条件との関係がバーナ点火タイミング情報として点火タイミング情報格納部に格納されており、前記情報取り込み手段により取り込まれる給湯関連情報と前記点火タイミング情報格納部に格納されているバーナ点火タイミング情報とを参照して今回の給湯利用時の給湯栓開から点火までの待機時間を決定する待機時間決定手段と、前記給湯栓開タイミング検知手段により検知される今回の給湯栓開タイミングを起点として前記待機時間決定手段により決定した決定待機時間が経過するまで連続して給湯が行われているときには前記決定待機時間が経過したときに前記バーナの点火を行う点火制御手段とを有する構成をもって課題を解決する手段としている。
【００２５】
また、第２の発明は、上記第１の発明の構成に加え、前記情報取り込み手段は少なくとも給湯利用時の給湯流量の情報を取り込む構成と成し、前記情報取り込み手段によって取り込まれた給湯流量が予め定めたシャワー対応流量以上の時には給湯栓開からバーナ点火までの待機時間を無視して点火制御手段により直ちにバーナの点火を行うようにする点火待機キャンセル手段を有することを特徴とする。
【００２６】
さらに、第３の発明は、上記第１または第２の発明の構成に加え、給水通路と、該給水通路に設けられた給水栓を開いて出水される水と給湯栓を開いて出湯される湯とを混合して出す混合水栓部とを有し、該混合水栓部には出湯水温度をレバーの水平方向の操作位置によって決定するレバー方式の出湯水操作部が設けられており、待機時間内に給湯栓が閉じられた場合には、利用者に、利用者が今回湯を使用しようとしたことの報知と前記レバーの水平方向の操作位置の確認を促す報知とを音声により行う報知部を、前記レバー方式の出湯水操作部の配設領域近傍に設けられたリモコン装置に設けたことを特徴とする。
【発明の効果】
【００２７】
本発明は、給湯設定温度と、給湯栓を開くことにより開始される今回の給湯利用時の給湯流量と、今回の給湯利用時の前記給湯熱交換器への入水温度と、前回の給湯利用終了時から今回の給湯利用開始時までの間隔と、前回の給湯利用継続時間との、給湯関連情報の個々の情報に関する条件と２つ以上の組み合わせ情報に関する条件との少なくとも１つの条件に対応させて、給湯栓が開かれてからバーナの点火までの設定待機時間と前記条件との関係を設定し、この関係を点火タイミング情報として格納し、また、前記給湯関連情報の少なくとも１つを取り込んで、該給湯関連情報の取り込み情報と前記点火タイミング情報とを参照して、給湯栓を開いてからバーナの点火を行うまでの待機時間を決定する。
【００２８】
そして、この決定待機時間が今回の給湯栓開タイミングを起点として経過するまで連続して給湯が行われているときには、前記決定待機時間が経過したときに前記バーナの点火を行うので、前記点火タイミング情報を的確に設定することにより、バーナの点火タイミングを的確にして、省エネ化（省エネルギー化）を図ることができる。
【００２９】
例えば利用者が歯ブラシを水で濡らすといった用途で利用する場合や、夏場等、水温が高いために湯ではなくて水による手洗いでもよい等、「湯」ではなく水が出ればよいような場合には、その給湯利用時（今回給湯利用時）の給湯流量が小さかったり、前回利用時の継続時間が短かったり、給湯熱交換器への入水温度が高かったり、給湯設定温度が低かったりする。
【００３０】
そこで、このような場合は、これらの条件の少なくとも一つに対応させて待機時間を適宜長めに設定し、設定待機時間が経過するまで連続して給湯が行われたときにのみバーナの点火が行われるようにすることで、設定待機時間が経過する前に利用が終了してしまった場合には、バーナの点火が行われず、無駄にバーナ燃焼が行われることを防ぐことができ、省エネ化を図ることができる。
【００３１】
また、その逆に、例えば冬場等、「湯」による手洗いが望まれるときには、前記設定待機時間を短く設定すれば、給湯栓が開かれてから殆ど間をおかずにバーナの点火を行うことにより、早めに給湯設定温度の湯を出湯でき、使い勝手も良好にできる。
【００３２】
また、本発明において、少なくとも給湯利用時の給湯流量の情報を取り込む構成と成し、取り込まれた給湯流量が予め定めたシャワー対応流量以上の時には給湯栓開からバーナ点火までの待機時間を無視して直ちにバーナの点火を行う構成によれば、給湯流量が予め定めたシャワー対応流量以上となって、利用者がシャワーを使用している可能性が高い場合は、直ちにバーナの点火を行うことにより、より使い勝手が良好な給湯装置を実現できる。
【００３３】
さらに、本発明において、給水通路に設けられた給水栓を開いて出水される水と給湯栓を開いて出湯される湯とを混合して出す混合水栓部に、出湯水温度をレバーの水平方向の操作位置によって決定するレバー方式の出湯水操作部を設け、待機時間内に給湯栓が閉じられた場合には、利用者に、湯を使用しようとしたことの報知と前記レバーの水平方向の操作位置の確認を促す報知とをレバー方式の出湯水操作部の配設領域近傍に設けられたリモコン装置から音声により行うものにおいては、利用者に、次回からはレバーの水平方向の操作位置を注意して使用してもらうようにでき、省エネ化をより一層図ることができる。
【発明を実施するための最良の形態】
【００３４】
以下、本発明の実施の形態を、図面を参照して説明する。なお、本実施形態例の説明において、従来例と同一名称部分には同一符号を付し、その重複説明は省略又は簡略化する。
【００３５】
本実施形態例に係る給湯装置の一実施形態例は、従来例と同様のシステム構成を有する給湯装置であるが、混合水栓部２９を台所に設け、給湯栓２７ａを浴槽２６の上部側に配置している。
【００３６】
図１には、本実施形態例の特徴的なバーナ点火制御構成がブロック図により示されている。なお、以下の説明において、特に断らない限り、バーナとは、給湯バーナ１０のことを示す。
【００３７】
同図に示すように、バーナ点火制御構成は、制御装置３に設けられた、情報取り込み手段３１、給湯栓開タイミング検知手段３２、時計機構３３、待機時間決定手段３４、点火タイミング情報格納部３５、点火制御手段３６、点火待機キャンセル手段３７を有し、燃焼制御部３８に接続されている。
【００３８】
情報取り込み手段３１は、給湯設定温度と、前記給湯栓２７を開くことにより開始される今回の給湯利用時の給湯流量と、今回の給湯利用時の前記給湯熱交換器７への入水温度と、前回の給湯利用終了時から今回の給湯利用開始時までの間隔と、前回の給湯利用継続時間との、少なくとも１つ（ここでは全部）の給湯関連情報を取り込む手段である。
【００３９】
情報取り込み手段３１は、以下のようにして個々の給湯関連情報を取り込む。つまり、情報取り込み手段３１は、台所リモコン（または風呂リモコン）に設けられている給湯温度設定手段３０によって設定される給湯設定温度を取り込み、入水温度センサ６の検出温度を取り込むことにより、今回の給湯利用時の前記給湯熱交換器７への入水温度を取り込み、流量センサ４の検出流量を取り込むことにより、今回の給湯利用時の給湯流量を取り込む。
【００４０】
また、情報取り込み手段３１は、流量センサ４の検出流量を取り込むと同時に、時計機構３３の時間情報を取り込んで、前回の給湯利用終了時から今回の給湯利用開始時までの間隔と、前回の給湯利用継続時間とを取り込む。
【００４１】
給湯栓開タイミング検知手段３２は、給湯栓２７が開かれたタイミングを、流量センサ４の検知信号に基づいて検知する。
【００４２】
点火タイミング情報格納部３５は、バーナ点火タイミング情報を格納している。本実施形態例では、前記給湯関連情報の個々の情報に関する条件と２つ以上の組み合わせ情報に関する条件との少なくとも１つの条件に対応させて、給湯栓２７が開かれてから給湯バーナ１０の点火までの待機時間が、例えば予め行われる実験結果等に基づいて予め設定され、この設定待機時間と前記条件との関係がバーナ点火タイミング情報として点火タイミング情報格納部３５に格納されている。
【００４３】
バーナ点火タイミング情報は、グラフデータやテーブルデータ等、適宜の態様で与えられるものであり、その態様は特に限定されるものではないが、例えば（表１）のようなテーブルデータにより与えることができる。
【００４４】
【表１】
2007247988.tif 000003
【００４５】
なお、前記給湯関連情報に関する条件に対応させた待機時間を、バーナ点火タイミング情報として予め設定して与える代わりに、演算式等を与えておき、給湯装置が、給湯関連情報に対応させてその都度、待機時間を設定し、バーナ点火タイミング情報として与えてもよい。
【００４６】
待機時間決定手段３４は、前記情報取り込み手段３１により取り込まれる給湯関連情報と、前記点火タイミング情報格納部３５に格納されているバーナ点火タイミング情報とを参照して、今回の給湯利用時の給湯栓開から点火までの待機時間を決定する。
【００４７】
点火制御手段３６は、前記給湯栓開タイミング検知手段３２により検知される今回の給湯栓開タイミングを起点とし、待機時間決定手段３４により決定した決定待機時間が経過するまで連続して給湯が行われているときには、前記決定待機時間が経過したときに、燃焼制御部３８にバーナ点火指令を加え、給湯バーナ１０の点火を行う。
【００４８】
点火待機キャンセル手段３７は、メモリ部（図示せず）を有しており、このメモリ部に、予め定めたシャワー対応流量の値を格納している。そして、点火待機キャンセル手段３７は、前記情報取り込み手段３１によって取り込まれた給湯流量が前記シャワー対応流量以上の時には、点火制御手段３６に即点火指令を加え、給湯栓開からバーナ点火までの待機時間を無視して点火制御手段により直ちに給湯バーナ１０の点火を行うようにする。
【００４９】
図２、図３には、それぞれ、バーナ点火制御の例が示されている。なお、図２、図３に示す制御動作はその一例であり、本実施形態例のバーナ点火制御動作は、この例に限定されるものではない。
【００５０】
まず、図２について説明する。図２に示す制御動作例においては、ステップＳ１で風呂リモコンがオンかオフかを確認し、風呂リモコンがオンであればステップＳ２に進み、風呂リモコンがオフの時にはステップＳ３に進む。
【００５１】
ステップＳ２では、情報取り込み手段３１が取り込む給湯流量の情報（流量センサ４の検出流量）が前記シャワー対応流量（ここでは６リットル／分）以上の時には、ステップＳ１２に進み、給湯バーナ１０の点火を行う。つまり、風呂リモコンがオンで、給湯流量がシャワー対応流量以上の時には、シャワー使用が予想されるので、点火待機キャンセル手段３７が点火制御手段３６に即、点火指令を加え、ステップＳ１２で、点火制御手段３６は、給湯栓開からバーナ点火までの待機時間を無視して直ちに給湯バーナ１０の点火を行う。また、ステップＳ２で、情報取り込み手段３１が取り込む給湯流量の情報が前記シャワー対応流量未満の時には、ステップＳ３に進む。
【００５２】
ステップＳ３では、待機時間決定手段３５は、情報取り込み手段３１により取り込まれる前回の給湯利用時の継続時間が１０秒以上か否かを判断し、前回の給湯利用時の継続時間が１０秒以上のときにはステップＳ４に進み、１０秒未満の時にはステップＳ６に進む。
【００５３】
ステップＳ４では、待機時間決定手段３４は、点火タイミング情報格納部３５に格納されているバーナ点火タイミング情報と情報取り込み手段３１により取り込んだ取り込み情報とを参照し、今回の給湯栓開からバーナの点火までの待機時間を決定し、決定待機時間とする。つまり、例えば表１を参照し、前回の給湯利用時の継続時間が１０秒以上であることと、今回の給湯利用時の給湯流量は６リットル／分未満であることの、２つの給湯関連情報の組み合わせ情報に関する条件に対応する待機時間Ａ（例えば３秒）を決定待機時間とする。
【００５４】
そして、ステップＳ５で、給湯栓開タイミング検知手段３２により検知される今回の給湯栓開タイミングを起点とし、待機時間決定手段３４により決定した決定待機時間が経過するまで、つまり、時間Ａが経過するまでバーナ点火を待機し、時間Ａが経過したら、ステップＳ１１に進む。
【００５５】
一方、前記ステップＳ３からステップＳ６に進んだ場合は、ステップＳ６で、待機時間決定手段３４は、情報取り込み手段３１により取り込まれる今回の給湯流量が４リットル／分以上か否かを判断し、今回の給湯流量が４リットル／分以上のときにはステップＳ７に進み、４リットル／分以上未満の時にはステップＳ９に進む。
【００５６】
ステップＳ７では、待機時間決定手段３４は、ステップＳ４と同様に、今回の給湯栓開からバーナの点火までの待機時間を決定し、決定待機時間とする。つまり、例えば表１を参照し、前回の給湯利用時の継続時間が１０秒未満であることと、今回の給湯利用時の給湯流量は４リットル／分以上６リットル／分未満であることの、２つの給湯関連情報の組み合わせ情報に関する条件に対応する待機時間Ｂ（例えば８秒）を決定待機時間とする。
【００５７】
そして、ステップＳ８で、前記ステップＳ５と同様に、給湯栓開タイミング検知手段３２により検知される今回の給湯栓開タイミングを起点とし、時間Ｂが経過するまでバーナ点火を待機し、時間Ｂが経過したら、ステップＳ１１に進む。
【００５８】
また、前記ステップＳ６からステップＳ９に進んだ場合は、ステップＳ９で、待機時間決定手段３４は、ステップＳ４、ステップＳ７と同様に、今回の給湯栓開からバーナの点火までの待機時間を決定し、決定待機時間とする。つまり、例えば表１を参照し、前回の給湯利用時の継続時間が１０秒未満であることと、今回の給湯利用時の給湯流量は４リットル／分未満であることの、２つの給湯関連情報の組み合わせ情報に関する条件に対応する待機時間Ｃ（例えば１０秒）を決定待機時間とする。
【００５９】
そして、ステップＳ１０で、前記ステップＳ５、Ｓ８と同様に、給湯栓開タイミング検知手段３２により検知される今回の給湯栓開タイミングを起点とし、時間Ｃが経過するまでバーナ点火を待機し、時間Ｃが経過したら、ステップＳ１１に進む。
【００６０】
ステップＳ１１では、点火制御手段３６は、情報取り込み手段３１により取り込まれる今回の給湯利用時の給湯流量が０か否かを判断する。そして、給湯流量が０でない場合、つまり、前記のようにしてそれぞれ決定した決定待機時間（ＡまたはＢまたはＣ）が経過したときに給湯が継続して行われているとき（給湯栓が開いているとき）には、ステップＳ１２に進み、給湯バーナ１０への点火を行う。また、ステップＳ１１で、情報取り込み手段３１により取り込まれる今回の給湯利用時の給湯流量が０と判断された場合は、今回の給湯利用が終了したことになるので、ステップＳ１に戻る。
【００６１】
以上のように、図２の制御動作例は、今回利用時の給湯流量と、前回の給湯利用時間とに基づいて、待機時間を設定する例である。
【００６２】
次に、図３について説明する。図３の制御例においては、ステップＳ１で、給湯装置の使用開始が行われる際、ステップＳ２で、給湯栓２７が開かれてから給湯バーナ１０の点火までの待機時間の設定と制御を行うか否か、つまり、短時間キャンセルモードがオンされているか否かを選択し、短時間キャンセルモードをオンされていない場合（前記待機時間の設定と制御を行わない場合）は、ステップＳ１９に進み、給湯栓が開かれてから給湯燃焼制御が開始されるまでの待機時間が無い（従来からの給湯燃焼制御）状態とする。
【００６３】
一方、短時間キャンセルモードがオンされている場合（前記待機時間の設定と制御を行う場合）は、ステップＳ３に進み、情報取り込み手段３１が、給湯温度設定手段３０で設定した給湯設定温度を取り込む。この給湯設定温度が４０度以下の時には、ステップＳ４に進み、一方、給湯設定温度が４０℃を越える場合はステップＳ１９に進み、前記待機時間が無い状態とする。
【００６４】
ステップＳ４では、情報取り込み手段３１は、流量センサ４の検出流量と時計機構３３により測定される時間情報から、前回の使用から今回の使用までの時間を取り込み、この時間が５分を越える時には、ステップＳ５に進み、一方、前回の使用から今回の使用までの時間が５分以下の時には前記ステップＳ１９に進み、前記待機時間が無い状態とする。
【００６５】
ステップＳ５では、情報取り込み手段３１は、給湯流量（ここでは、Ｆリットル／分）を取り込み、この給湯流量Ｆが４リットル／分未満の時には、ステップＳ６に、４リットル／分以上、６リットル／分未満の時にはステップＳ７に、６リットル／分以上８リットル／分未満のときにはステップＳ８に、８リットル／分以上の時にはステップＳ９に、それぞれ進む。そして、ステップＳ９に進んだ場合は、前記待機時間が無い状態とする。
【００６６】
ステップＳ６、Ｓ７、Ｓ８では、それぞれ、情報取り込み手段３１が、入水温度センサ６から入水温度（ここではＧ℃）の情報を取り込み、ステップＳ６で入水温度Ｇが２０℃未満の時には、ステップＳ１０で、前記待機時間無し、入水温度が２０℃以上２５℃未満の時には、ステップＳ１１で、前記待機時間５秒、入水温度が２５℃を越える時には、ステップＳ１２で、前記待機時間１０秒とする。
【００６７】
同様に、ステップＳ７で入水温度が２０℃未満の時には、ステップＳ１３で、前記待機時間無し、入水温度が２０℃以上２５℃未満の時には、ステップＳ１４で、前記待機時間４秒、入水温度が２５℃を越える時には、ステップＳ１５で、前記待機時間８秒とし、また、ステップＳ８で入水温度が２０℃未満の時には、ステップＳ１６で、前記待機時間無し、入水温度が２０℃以上２５℃未満の時には、ステップＳ１７で、前記待機時間３秒、入水温度が２５℃を越える時には、ステップＳ１８で、前記待機時間６秒とする。
【００６８】
以上のように、図３の制御動作例は、給湯設定温度、前回の給湯使用時から今回の給湯使用時までの時間、今回使用時の給湯流量、入水温度に基づいて、待機時間を設定する例であり、待機時間の設定後は、図２で示したフローチャートと同様に、待機時間経過後まで給湯が継続していたとき（給湯栓が開いていたとき）には、バーナ１０の点火を行い、待機時間無しとした場合は、従来例と同様に、待機時間無しでバーナ１０の点火を行う。
【００６９】
なお、本実施形態例は、混合水栓部２９に、図４に示したようなワンレバー方式の出湯水操作部を設けており、前記待機時間内に給湯栓４４が閉じられた場合には、利用者に、例えば「お湯を使用しようとしました。レバーの位置を確認してみて下さい。」といったような、利用者が今回湯を使用しようとしたことの報知と、レバー２８の水平方向の操作位置の確認を促す報知とを、音声により行う報知部を、ワンレバー方式の出湯水操作部の配設領域（ここでは、台所）近傍に設けられたリモコン装置（つまり、ここでは、台所リモコン）に設けている。
【００７０】
そして、前記待機時間内に給湯栓４４が閉じられた場合には、リモコン装置の報知部によって、前記のような音声による報知を行い、利用者に、次回からはレバー２８の水平方向の操作位置を注意して使用してもらうようにする。
【００７１】
本実施形態例は、上記のように、バーナ点火制御構成を設け、給湯関連情報の個々の情報に関する条件と２つ以上の組み合わせ情報に関する条件との少なくとも１つの条件に対応させて、給湯栓２７が開かれてから給湯バーナ１０の点火までの設定待機時間と前記条件との関係を設定しておき、この関係を有する点火タイミング情報と前記給湯関連情報の取り込み情報とを待機時間決定手段３４が参照し、給湯栓２７が開かれてから給湯バーナ１０の点火を行うまでの待機時間を決定するので、給湯関連情報の条件に対応させて的確に待機時間を決定することができる。
【００７２】
そして、バーナ点火制御手段３６が、今回の給湯栓開タイミングを起点として、前記決定待機時間が経過するまで連続して給湯が行われているときには、前記決定待機時間が経過したときに給湯バーナ１０の点火を行うので、給湯バーナ１０の点火タイミングを的確に制御して、省エネ化（省エネルギー化）を図ることができる。
【００７３】
つまり、例えば利用者が歯ブラシを水で濡らすといった用途で利用し、「湯」ではなくても水が出ればよいような場合には、その給湯利用時（今回給湯利用時）の給湯流量が小さかったり、前回利用時の継続時間が短かったりする。このような場合は、適宜決定される決定待機時間を経過するまで連続して給湯が行われないので、給湯バーナ１０の点火が行われない。したがって、本実施形態例は、従来のように、給湯栓２７が開かれてから殆ど間をおかずに給湯バーナ１０の点火を行う場合と異なり、無駄にバーナ燃焼が行われることを防ぐことができる。
【００７４】
なお、決定待機時間が経過しても給湯が行われている場合には、その時点で給湯バーナ１０の点火が行われるので、水ではなく「湯」が必要とされる場合には、的確に給湯を行うことができる。
【００７５】
また、本実施形態例によれば、給湯流量が予め定めたシャワー対応流量以上の時には給湯栓開からバーナ点火までの待機時間を無視して直ちに給湯バーナ１０の点火を行うので、利用者がシャワーを使用している可能性が高い場合は、直ちにバーナの点火を行うことにより、より使い勝手が良好な給湯装置を実現できる。
【００７６】
さらに、本実施形態例によれば、台所の混合水栓部２９にワンレバー方式の出湯水操作部を設けており、待機時間内に給湯栓４４が閉じられた場合には、利用者に、レバー２８の水平方向の操作位置の確認を促す報知とを音声によって、台所リモコンの報知部により行うので、利用者に、次回からはレバー２８の水平方向の操作位置を注意して使用してもらうようにすることができ、省エネ化をより一層確実に、図ることができる。
【００７７】
なお、本発明は上記実施形態例に限定されることはなく、様々な態様を採り得る。例えば、上記実施形態例では、情報取り込み手段３１は、給湯設定温度と、前記給湯栓２７を開くことにより開始される今回の給湯利用時の給湯流量と、今回の給湯利用時の前記給湯熱交換器７への入水温度と、前回の給湯利用終了時から今回の給湯利用開始時までの間隔と、前回の給湯利用継続時間の全ての情報を取り込むようにしたが、情報取り込み手段３１は、上記情報のうち少なくとも１つの情報を取り込むようにすればよい。
【００７８】
そして、給湯関連情報の個々の情報に関する条件と２つ以上の組み合わせ情報に関する条件との少なくとも１つの条件に対応させて設定される、給湯栓が開かれてからバーナの点火までの待機時間と、取り込んだ給湯関連情報とにより待機時間が決定され、その決定待機時間に基づいて、バーナ点火制御動作が行われればよい。
【００７９】
また、上記実施形態例は、点火待機キャンセル手段３７を設けたが、点火待機キャンセル手段３７は省略することもできる。この場合でも、給湯流量が大きくてシャワー使用が予測される場合に対応させて、点火タイミング情報格納部３５に格納する点火タイミング情報の待機時間を短く（０に近い値に）設定することにより、シャワー使用時の使い勝手を良好にできる。
【００８０】
さらに、上記実施形態例では、給湯通路１１は２つに分岐され、その一方に台所の給湯栓２７（２７ａ）が、他方には洗面所の給湯栓２７（２７ｂ）が設けられていたが、給湯通路１１の分岐数や、給湯栓２７の配設数、配設場所等、システムの詳細な構成は図６に示した例に限定されるものでなく、適宜設定されるものである。また、本発明の給湯装置は、給湯機能と自動湯張り機能および追い焚き機能を備えた複合的な給湯装置は限らず、給湯機能のみを有していてもよいし、給湯機能の他に、暖房機能等の他の機能を有していてもよい。
【００８１】
また、電気温水器等、貯湯タンク内に一定温度の湯を貯えており、リモコン装置の設定温度に応じて、前記貯えている湯と給水とを混合して出湯するタイプの貯湯タンク型温水器においては、条件に応じて、ミキシングを設定温度の湯ではなく、水に所定時間切り替えて、待機時間相当時間、水を出水させるように、混合弁開度を変えて対応してもよい。
【００８２】
さらに、上記実施形態例では、台所に混合水栓部２９を設け、ワンレバー方式の出湯水操作部を設けたが、この種の出湯操作部を有する混合水栓部２９の配設場所は台所とは限らず、洗面所等の他の場所でもよく、また、その配設数も１つでも複数でもよい。
【００８３】
なお、待機時間内に給湯栓４４が閉じられたときに、利用者に、利用者が今回湯を使用しようとしたことの報知と前記レバーの水平方向の操作位置の確認を促す報知とを音声により行う報知部をリモコン装置に設ける場合、例えば洗面所にワンレバー方式の出湯水操作部を設ける時には、その付近に設けるリモコン装置（例えば風呂リモコン）に前記報知部を設けるとよい。
【００８４】
さらに、上記実施形態例では、ガス燃焼式の給湯装置としたが、給湯装置は石油燃焼式の給湯装置としてもよい。
【図面の簡単な説明】
【００８５】
【図１】本発明に係る給湯装置の一実施形態例における給湯バーナ点火制御構成を示すブロック図である。
【図２】上記実施形態例の動作の一例を示すフローチャートである。
【図３】上記実施形態例の動作の別の例を示すフローチャートである。
【図４】ワンレバー方式の混合水栓のレバー動作例を示す模式説明図である。
【図５】給湯栓と給水栓とを別々に操作するタイプの混合水栓の例を模式的に示す説明図である。
【図６】給湯装置の一例を示すシステム図である。
【符号の説明】
【００８６】
３  制御装置
４  流量センサ
５  給水通路
６  入水温度センサ
７  給湯熱交換器
１０  給湯バーナ
１１  給湯通路
３０  給湯温度設定手段
３１  情報取り込み手段
３２  給湯栓開タイミング検出手段
３３  時計機構
３４  待機時間決定手段
３５  点火タイミング情報格納部
３６  点火制御手段
３７  点火待機キャンセル手段
３８  燃焼制御部
【図１】
2007247988.tif 000004
【図２】
2007247988.tif 000005
【図３】
2007247988.tif 000006
【図４】
2007247988.tif 000007
【図５】
2007247988.tif 000008
【図６】
2007247988.tif 000009